(57)【要約】  無線端末は、第１のタイプの第１のネットワークと通信を行い、異なる第２のタイプの第２のネットワークと通信を行い得る。無線端末は、第１のネットワークとのパケットドメイン接続（packet-domain attachment）を行い、無線端末が接続された状態にあり第１のネットワークに直近にデータを送信したことを示すレディタイマを開始する。無線端末は、第１のネットワークから第２のネットワークへのシステム間変更を開始し、それによって、無線端末は、第２のネットワークへ登録されることとなる。好適には、無線端末は、システム間変更が行われるときに、レディタイマを無効にする手段を有する。ネットワーク装置は、接続が発生することによって、自身のレディタイマを開始する手段を有する。このレディタイマも、無線端末が接続された状態にあり第１のネットワークに直近にデータを送信したことを示す。【選択図】図４
2015517229.tif 000002
【特許請求の範囲】
【請求項１】
第１のタイプの第１のネットワークと通信を行い、前記第１のタイプとは異なる第２のタイプの第２のネットワークと通信を行う無線端末であって、
パケットドメイン（packet domain）において前記第１のネットワークとの接続（attachment）を行い、前記接続を行うことによって、前記無線端末が接続された状態（attached state）にあり前記第１のネットワークに直近にデータを送信したことを示すレディタイマを開始する手段と、
前記第１のネットワークから前記第２のネットワークへのシステム間変更を開始する手段であって、それによって、前記無線端末が前記第１のネットワークから離れ前記パケットドメインにおいて前記第２のネットワークを選択する手段と、
前記開始されたシステム間変更に応じて前記レディタイマを無効にする手段と
を有する無線端末。
【請求項２】
前記無効にする手段は、前記レディタイマを停止する手段又は前記レディタイマを終了する手段を有する
請求項１に記載の無線端末。
【請求項３】
前記無効にする手段は、前記無線端末による前記レディタイマの満了を無視する手段を有する
請求項１に記載の無線端末。
【請求項４】
前記無効にする手段は、前記無線端末による前記第２のネットワークの選択、及び前記無線端末が前記第２のネットワークに登録することの少なくとも一方に応じて、前記レディタイマを無効するように構成されている
請求項１から３のいずれか１項に記載の無線端末。
【請求項５】
前記無効にする手段は、前記無線端末が前記第２のネットワークを選択した場合に、前記無線端末が前記第１のタイプのネットワークを再び選択することに応じて、前記レディタイマを無効するように構成されている
請求項１に記載の無線端末。
【請求項６】
前記無線端末が前記第１のタイプのネットワークを選択することは、前記無線端末が前記第１のネットワークへ登録されるようになることを有する
請求項５に記載の無線端末。
【請求項７】
前記第１のネットワークは、ユニバーサル地上無線アクセスネットワーク（Universal Terrestrial Radio Access Network；ＵＴＲＡＮ）又はＧＳＭ／ＥＤＧＥ無線アクセスネットワーク（ＧＥＲＡＮ）であり、前記第２のネットワークは、進化型ユニバーサル地上無線アクセスネットワーク（Evolved Universal Terrestrial Radio Access Network；Ｅ−ＵＴＲＡＮ）であり、前記レディタイマは、ＧＭＭレディタイマである
請求項１から６のいずれか１項に記載の無線端末。
【請求項８】
第１のタイプの第１のネットワークと通信を行い、前記第１のタイプとは異なる第２のタイプの第２のネットワークと通信を行う無線端末で用いる方法であって、
パケットドメインにおいて前記第１のネットワークとの接続を行い、前記接続を行うことによって、前記無線端末が接続された状態にあり前記第１のネットワークに直近にデータを送信したことを示すレディタイマを開始し、
前記第１のネットワークから前記第２のネットワークへのシステム間変更を開始して、それによって、前記無線端末が前記第１のネットワークから離れることとなり前記パケットドメインにおいて前記第２のネットワークを選択し、
前記開始されたシステム間変更に応じて前記レディタイマを無効にする
方法。
【請求項９】
前記無効にすることは、前記レディタイマを停止すること又は前記レディタイマを終了することを有する
請求項８に記載の方法。
【請求項１０】
前記無効にすることは、前記無線端末による前記レディタイマの満了を無視することを有する
請求項８に記載の方法。
【請求項１１】
前記無効にすることは、前記無線端末による前記第２のネットワークの選択、及び前記無線端末が前記第２のネットワークに登録すること又は前記第２のネットワークへ登録することの少なくとも一方に応じて行われる
請求項８から１０のいずれか１項に記載の方法。
【請求項１２】
前記無効にすることは、前記無線端末が前記第２のネットワークを選択した場合に、前記無線端末が前記第１のタイプのネットワークを再び選択することに応じて行われる
請求項８に記載の方法。
【請求項１３】
前記無線端末が前記第１のタイプのネットワークを選択することは、前記無線端末が前記第１のネットワークへ登録されるようになることを有する
請求項１２に記載の方法。
【請求項１４】
前記第１のネットワークは、ユニバーサル地上無線アクセスネットワーク（ＵＴＲＡＮ）又はＧＳＭ／ＥＤＧＥ無線アクセスネットワーク（ＧＥＲＡＮ）であり、前記第２のネットワークは、進化型ユニバーサル地上無線アクセスネットワーク（Ｅ−ＵＴＲＡＮ）であり、前記レディタイマは、ＧＭＭレディタイマである
請求項８から１３のいずれか１項に記載の方法。
【請求項１５】
第１のタイプの第１のネットワークと通信を行い、前記第１のタイプとは異なる第２のタイプの第２のネットワークと通信を行う無線端末に、
パケットドメインにおいて前記第１のネットワークとの接続を行い、前記接続を行うことによって、前記無線端末が接続された状態にあり前記第１のネットワークに直近にデータを送信したことを示すレディタイマを開始し、
前記第１のネットワークから前記第２のネットワークへのシステム間変更を開始して、それによって、前記無線端末が前記第１のネットワークから離れることとなり前記パケットドメインにおいて前記第２のネットワークを選択し、
前記開始されたシステム間変更に応じて前記レディタイマを無効にする
処理を実行させるプログラムを格納した非一時的なコンピュータ可読媒体。
【請求項１６】
前記無効にすることは、前記レディタイマを停止すること又は前記レディタイマを終了することを有する
請求項１５に記載の非一時的なコンピュータ可読媒体。
【請求項１７】
前記無効にすることは、前記無線端末による前記レディタイマの満了を無視することを有する
請求項１５に記載の非一時的なコンピュータ可読媒体。
【請求項１８】
前記無効にすることは、前記無線端末による前記第２のネットワークの選択、及び前記無線端末が前記第２のネットワークに登録することの少なくとも一方に応じて行われる
請求項１５から１７のいずれか１項に記載の非一時的なコンピュータ可読媒体。
【請求項１９】
前記無効にすることは、前記無線端末が前記第２のネットワークを選択した場合に、前記無線端末が前記第１のタイプのネットワークを選択することに応じて行われる
請求項１５から１７のいずれか１項に記載の非一時的なコンピュータ可読媒体。
【請求項２０】
前記無線端末が前記第１のタイプのネットワークを選択することは、前記無線端末が前記第１のネットワークを選択することを有する
請求項１９に記載の非一時的なコンピュータ可読媒体。
【請求項２１】
前記第１のネットワークは、ユニバーサル地上無線アクセスネットワーク（ＵＴＲＡＮ）又はＧＳＭ／ＥＤＧＥ無線アクセスネットワーク（ＧＥＲＡＮ）であり、前記第２のネットワークは、進化型ユニバーサル地上無線アクセスネットワーク（Ｅ−ＵＴＲＡＮ）であり、前記レディタイマは、ＧＭＭレディタイマである
請求項１５から２０のいずれか１項に記載の非一時的なコンピュータ可読媒体。
【請求項２２】
第１のタイプの第１のネットワークの一部として動作し、前記第１のタイプとは異なる第２のタイプの第２のネットワークと通信を行うことが可能な無線端末と通信を行うネットワーク装置であって、
パケットドメインにおいて前記無線端末との接続を行い、前記接続を行うことによって、前記無線端末が接続された状態にあり前記第１のネットワークに直近にデータを送信したことを示す、前記ネットワーク装置におけるレディタイマを開始する手段と、
前記第１のネットワークから前記第２のネットワークへのシステム間変更の間に登録の更新（registration update）を行う手段であって、それによって、前記無線端末が前記パケットドメインにおいて前記第２のネットワークに登録されることとなる手段と、
前記登録の更新に応じて前記レディタイマを無効にする手段と
を有するネットワーク装置。
【請求項２３】
前記無効にする手段は、前記レディタイマを停止する手段又は前記レディタイマを終了する手段を有する
請求項２２に記載のネットワーク装置。
【請求項２４】
前記無効にする手段は、前記無線端末の前記レディタイマ又は前記ネットワーク装置の前記レディタイマの満了を無視する手段を有する
請求項２２に記載のネットワーク装置。
【請求項２５】
前記無効にする手段は、前記無線端末による前記第２のネットワークの選択、及び前記システム間変更の間に前記無線端末が前記第２のネットワークへ登録されることとなることの少なくとも一方に応じて、前記レディタイマを無効するように構成されている
請求項２２から２４のいずれか１項に記載のネットワーク装置。
【請求項２６】
前記無効にする手段は、前記システム間変更の間に前記無線端末が前記ネットワーク装置を有する前記第１のタイプのネットワークを離れた場合に前記無線端末が前記ネットワーク装置に再び接続されることとなることに応じて、前記レディタイマを無効するように構成されている
請求項２２から２４のいずれか１項に記載のネットワーク装置。
【請求項２７】
前記第１のネットワークは、ユニバーサル地上無線アクセスネットワーク（ＵＴＲＡＮ）又はＧＳＭ／ＥＤＧＥ無線アクセスネットワーク（ＧＥＲＡＮ）であり、前記第２のネットワークは、進化型ユニバーサル地上無線アクセスネットワーク（Ｅ−ＵＴＲＡＮ）である
請求項２２から２６のいずれか１項に記載のネットワーク装置。
【請求項２８】
第１のタイプの第１のネットワークの一部として動作し、前記第１のタイプとは異なる第２のタイプの第２のネットワークと通信を行うことが可能な無線端末と通信を行うネットワーク装置で用いる方法であって、
パケットドメインにおいて前記無線端末との接続を行い、前記接続を行うことによって、前記無線端末が接続された状態にあり前記第１のネットワークに直近にデータを送信したことを示す、前記ネットワーク装置におけるレディタイマを開始し、
前記第１のネットワークから前記第２のネットワークへのシステム間変更の間に登録の更新を行い、それによって、前記無線端末が前記パケットドメインにおいて前記第２のネットワークに登録されることとなり、
前記登録の更新に応じて前記レディタイマを無効にする
方法。
【請求項２９】
前記無効にすることは、前記レディタイマを停止すること又は前記レディタイマを終了することを有する
請求項２８に記載の方法。
【請求項３０】
前記無効にすることは、前記無線端末又は前記ネットワーク装置による前記レディタイマの満了又は終了を無視することを有する
請求項２８に記載の方法。
【請求項３１】
前記無効にすることは、前記無線端末による前記第２のネットワークの選択、及び前記システム間変更の間に前記無線端末が前記第２のネットワークへ登録されることとなることの少なくとも一方に応じて、前記レディタイマを無効するように構成されている
請求項２８から３０のいずれか１項に記載の方法。
【請求項３２】
前記無効にすることは、前記システム間変更の間に前記無線端末が前記ネットワーク装置を有する前記第１のタイプのネットワークを離れた場合に前記無線端末が前記ネットワーク装置に再び接続されることとなることに応じてなされる
請求項２８から３０のいずれか１項に記載の方法。
【請求項３３】
前記第１のネットワークは、ユニバーサル地上無線アクセスネットワーク（ＵＴＲＡＮ）又はＧＳＭ／ＥＤＧＥ無線アクセスネットワーク（ＧＥＲＡＮ）であり、前記第２のネットワークは、進化型ユニバーサル地上無線アクセスネットワーク（Ｅ−ＵＴＲＡＮ）である
請求項２８から３２のいずれか１項に記載の方法。
【請求項３４】
第１のタイプの第１のネットワークの一部として動作し、前記第１のタイプとは異なる第２のタイプの第２のネットワークと通信を行うことが可能な無線端末と通信を行うネットワーク装置に、
パケットドメインにおいて前記無線端末との接続を行い、前記接続を行うことによって、前記無線端末が接続された状態にあり前記第１のネットワークに直近にデータを送信したことを示す、前記ネットワーク装置におけるレディタイマを開始し、
前記第１のネットワークから前記第２のネットワークへのシステム間変更の間に登録の更新を行い、それによって、前記無線端末が前記パケットドメインにおいて前記第２のネットワークに登録されることとなり、
前記登録の更新に応じて前記レディタイマを無効にする
処理を実行させるプログラムを格納した非一時的なコンピュータ可読媒体。
【請求項３５】
前記無効にすることは、前記レディタイマを停止すること又は前記レディタイマを終了することを有する
請求項３４に記載の非一時的なコンピュータ可読媒体。
【請求項３６】
前記無効にすることは、前記無線端末又は前記ネットワーク装置による前記レディタイマの満了又は終了を無視することを有する
請求項３４に記載の非一時的なコンピュータ可読媒体。
【請求項３７】
前記無効にすることは、前記無線端末による前記第２のネットワークの選択、及び前記システム間変更の間に前記無線端末が前記第２のネットワークへ登録されることとなることの少なくとも一方に応じて、前記レディタイマを無効するように構成されている
請求項３４から３６のいずれか１項に記載の非一時的なコンピュータ可読媒体。
【請求項３８】
前記無効にすることは、前記システム間変更の間に前記無線端末が前記ネットワーク装置を有する前記第１のタイプのネットワークを離れた場合に前記無線端末が前記ネットワーク装置に再び接続されることとなることに応じてなされる
請求項３４から３７のいずれか１項に記載の非一時的なコンピュータ可読媒体。
【請求項３９】
前記第１のネットワークは、ユニバーサル地上無線アクセスネットワーク（ＵＴＲＡＮ）又はＧＳＭ／ＥＤＧＥ無線アクセスネットワーク（ＧＥＲＡＮ）であり、前記第２のネットワークは、進化型ユニバーサル地上無線アクセスネットワーク（Ｅ−ＵＴＲＡＮ）である
請求項３４から３８のいずれか１項に記載の非一時的なコンピュータ可読媒体。
【発明の詳細な説明】
【技術分野】
【０００１】
本発明は、無線端末及びその動作方法に関し、特に、Ｅ−ＵＴＲＡＮ（ＬＴＥとしても知られている）とＧＥＲＡＮとの間のシステム間変更（intersystem change；インターシステムチェンジ）に関する。
【背景技術】
【０００２】
３ＧＰＰ  ＴＳ  ２３．０６０に記述されているように、ＧＰＲＳ（General Packet Radio Service）において、ＵＥ（User Equipment）は、以下のような３つの異なるモード又は状態であり得る。
【０００３】
ＧＰＲＳ  ＩＤＬＥ状態において、加入者の無線端末（移動局、ＭＳ又はユーザ装置；ＵＥ）は、ネットワークのＧＰＲＳモビリティ管理（mobility management；ＭＭ）に接続されていない。無線端末及びサービングＧＰＲＳサポートノード（Serving GPRS Support Node；ＳＧＳＮ）のコンテキストは、加入者に関連する有効な位置情報又はルーティング情報を何ら保持しない。
【０００４】
ＳＴＡＮＤＢＹ状態において、加入者は、ＧＰＲＳモビリティ管理に接続されている。無線端末（ＵＥ）及びＳＧＳＮは、ＧＰＲＳモビリティ管理（GPRS mobility management；ＧＭＭ）コンテキストを構築している。
【０００５】
ＲＥＡＤＹ状態において、ＳＧＳＮ  ＭＭコンテキストは、セルレベルにおける加入者に関連する位置情報によって拡張されたＳＴＡＮＤＢＹ  ＭＭコンテキストに対応する。無線端末（ＵＥ）は、モビリティ管理手順（mobility management procedure）を行って、ネットワークに実際に選択されたセルを提供する。一般的には、ＧＰＲＳセルの選択及び再選択は、無線端末（ＵＥ）によって局所的になされ、又は、任意に、ネットワークによって制御され得る。
【０００６】
無線リソースが加入者に割り当てられるか否かに関わらず、ＧＭＭコンテキストは、通信されているデータがない場合であってもＲＥＡＤＹ状態において留まっている。タイマ（ＧＭＭ  ＲＥＡＤＹタイマ  Ｔ３３１４）は、ＲＥＡＤＹ状態を管理する。ＧＭＭ  ＲＥＡＤＹタイマは、データがＵＥによって送信され無線端末がＲＥＡＤＹ状態になるときに開始され（initiated）、又は起動される（started）。ＧＭＭ  ＲＥＡＤＹタイマが満了するときに、ＧＭＭコンテキストは、ＲＥＡＤＹ状態からＳＴＡＮＤＢＹ状態に移行する。ＲＥＡＤＹ状態からＩＤＬＥ状態に移行するために、無線端末（ＵＥ）は、ＧＰＲＳデタッチ手順（ＧＰＲＳ Detach procedure）を開始する。さらなる詳細が、３ＧＰＰ  ＴＳ  ２３．０６０に記載されている。ＧＭＭ  ＲＥＡＤＹタイマの長さ（つまり継続時間）は、ＳＧＳＮによってのみ変更され得る。
【０００７】
ＵＴＲＡＮとＧＥＲＡＮとの間のシステム間変更について、ＧＭＭ  ＲＥＡＤＹタイマ  Ｔ３３１４は、３ＧＰＰ  ＴＳ  ４４．０６０の８．４．１項の以下の記述されているように、セルチェンジオーダ（Cell Change Order；ＣＣＯ）手順の完了に起因して動作し続け得る。
「ｉｎｔｅｒ−ＲＡＴネットワークで制御されたセル再選択（inter-RAT network controlled cell reselection）の場合において、移動局は、ターゲットＲＡＴの仕様に従って、又は手順の実行の間にＧＭＭ  ＲＥＡＤＹタイマ（３ＧＰＰ  ＴＳ  ２４．００８参照）が動作を停止するときに、ネットワークで制御されたセル再選択が無事完了したとみなすものとする。そして、移動局は、タイマＴ３１７４を停止するものとする。」
【０００８】
ＩｕモードからＡ／ＧｂモードへのイントラＳＧＳＮ変更（Iu mode to A/Gb mode Intra SGSN Change）を記述する３ＧＰＰ  ＴＳ  ２３．０６０の６．１３．１．１項は、ＵＥがＵＴＲＡＮにおけるＰＭＭ状態をチェックして、ＵＴＲＡＮからＧＥＲＡＮへのシステム間変更の後でどちらの手順を始動する（trigger）かを決定することのみを要求する。つまり、上記で強調されたようなＣＣＯ手順の完了の場合以外にＵＴＲＡＮからＧＥＲＡＮへのシステム間変更に起因してレディ（Ｒｅａｄｙ）タイマのチェックを行うことはない。
【０００９】
Ｅｖｏｌｖｅｄ  ＵＴＲＡＮ（Ｅ−ＵＴＲＡＮ）は、Ｅ−ＵＴＲＡＮとＵＴＲＡＮ／ＧＥＲＡＮとの間の任意のｉｎｔｅｒ−ＲＡＴセル再選択（cell-reselection）の間にアイドルモードにおいてシグナリングを制限又は減少させるメカニズムを提供するアイドルモードシグナリングリダクション（Idle mode Signalling Reduction；ＩＳＲ）機能を定義する。ＭＭＥ及びＳＧＳＮの両方で無線端末（ユーザ装置；ＵＥ）についてのコンテキストを保持することによって、ＵＥが登録されたエリア（ＧＥＲＡＮ／ＵＴＲＡＮにおけるルーティングエリア、Ｅ−ＵＴＲＡＮにおけるトラッキングエリアリスト）に滞在する限り、Ｅ−ＵＴＲＡＮとＧＥＲＡＮ／ＵＴＲＡＮとの間で移動するときに、ＵＥはＮＡＳ登録手順（ルーティングエリアアップデート（Routing Area Update）；ＲＡＵ）を行う必要がない。
【００１０】
このメカニズムによれば、アイドルモードにおけるＵＥは、ＩＳＲがアクティブである場合に、Ｅ−ＵＴＲＡＮのＭＭＥ及びＵＴＲＡＮ／ＧＥＲＡＮのＳＧＳＮの両方に登録される（３ＧＰＰ  ＴＳ２３．４０１の付録Ｊ１参照）。ＳＧＳＮ及びＭＭＥの両方は、サービングゲートウェイ（Ｓ−ＧＷ）との接続制御（control connection）を有する。
【００１１】
ＵＥは、ＳＧＳＮ（例えばＰ−ＴＭＳＩ及びＲＡ）によってＵＥに提供され、ＭＭＥ（例えばＧＵＴＩ及びＴＡ（ｓ））によってＵＥに提供されるモビリティ管理（ＭＭ）パラメータを受信して格納する。そして、ＵＥは、Ｅ−ＵＴＲＡＮ及びＧＥＲＡＮ／ＵＴＲＡＮのアクセスに共通のセッション管理（ベアラ）コンテキストを格納する。
【００１２】
これらの格納されたパラメータ及びコンテキストを使用して、ＵＥは、アイドル状態である場合、ＵＥが登録されたルーティングエリア（routing areas；ＲＡｓ）及びトラッキングエリア（tracking areas；ＴＡｓ）の中にあるときに、ネットワークと関わることによって任意のトラッキングエリアアップデート（tracking area update；ＴＡＵ）手順又はルーティングエリアアップデート（routing area update；ＲＡＵ）手順を行う必要なく、Ｅ−ＵＴＲＡＮとＧＥＲＡＮ／ＵＴＲＡＮとの間で無線アクセスセルを再選択することができる。
【先行技術文献】
【非特許文献】
【００１３】
【非特許文献１】３ＧＰＰ  ＴＳ  ２３．０６０  Ｖ１１．０．０（２０１１−１２）
【非特許文献２】３ＧＰＰ  ＴＳ  ２３．４０１  Ｖ１１．０．０（２０１１−１２）
【非特許文献３】３ＧＰＰ  ＴＳ  ４４．０６０  Ｖ１１．０．０（２０１２−０３）
【発明の概要】
【発明が解決しようとする課題】
【００１４】
既存の３ＧＰＰ仕様では、Ｅ−ＵＴＲＡＮとＧＥＲＡＮとの間のシステム間変更の場合について、レディタイマの扱いは特に記述されていない。しかしながら、ＩＳＲがアクティブであるか否か又はアクティブでないか否かに応じて、２つの問題のあるシナリオがアイドルモードセル再選択の間に発生することが、最近分かってきている。図１、図２（第１のシナリオに関する）及び図３（第２のシナリオに関する）を参照して、これらの２つのシナリオについて、以下に述べる。
【００１５】
図１及び図２は、ＵＥがＧＥＲＡＮを再選択する場合の、ＩＳＲがアクティブである第１のシナリオによるイベントダイアグラム（event diagram）である。
【００１６】
図１は、ＵＥがＧＥＲＡＮを再選択する場合にレディタイマが動作しておりＩＳＲがアクティブである間にＥ−ＵＴＲＡＮからＧＥＲＡＮへのシステム間変更を行う現在の手順を示す図である。ここで、ＵＥ１０２がＧＥＲＡＮにあった間に、ＩＳＲは、すでにアクティブとなっている。この第１のケースにおいて、レディタイマを動作しているＵＥ１０２が、（既知の「再選択」手順１１０によって）Ｅ−ＵＴＲＡＮを選択し、ＴＡＵ１１２を行い、レディタイマがまだ動作している状態でＧＥＲＡＮに戻る（ＧＥＲＡＮを選択する）（ブロック１１８参照）場合、ＧＥＲＡＮにおいて、一旦、ＵＥが登録されたＲＡに戻るとしても、ＵＥは、セルアップデート手順１２０を行う。これは、矢印１２２で示されるように、セルアップデートがレディタイマの満了によって引き起こされるからである。
【００１７】
図２は、第１のシナリオ（ＩＳＲがアクティブである）による別のイベントダイアグラムであり、ＵＥがＧＥＲＡＮを再選択する場合にレディタイマが動作しておりＩＳＲがアクティブである間にＥ−ＵＴＲＡＮからＧＥＲＡＮへのシステム間変更を行う現在の手順を示す図である。ここで、ＵＥ１０２がＥ−ＵＴＲＡＮにあってＧＥＲＡＮになかった間に、ＩＳＲは、すでにアクティブとなっている。この第２のケースにおいて、ＵＥ１０２からのＴＡＵリクエスト１１２に続いて、コンテキストリクエスト２２４がＭＭＥ１０６によってＳＧＳＮ１０４に送信され、コンテキストリクエスト２２４に応答して、コンテキストレスポンス２２６がＳＧＳＮ１０４によってＭＭＥ１０６に送信される。
【００１８】
レディタイマを動作したままにしておくことは、セルアップデート１２０の形式でさらなるシグナリングをもたらすことが、図１及び図２から理解されよう。しかしながら、ＵＥがＧＥＲＡＮを再選択するときにＩＳＲがアクティブであるので、ＧＥＲＡＮネットワークは、システム間変更において、ＵＥからのシグナリングを何ら期待せず、したがって、この追加のセルアップデート１２０は、望まれないものであって、かつ不要である。
【００１９】
図３は、ＵＥがＧＥＲＡＮを再選択するときにＩＳＲがアクティブでない第２のシナリオを示す図である。レディタイマを動作している（１２２）ＵＥ１０２がＥ−ＵＴＲＡＮを選択するとき（ブロック１１０）、ＴＡＵ１１２，１１７を実行する。ＵＥ１０２からのＴＡＵリクエスト１１２に続いて、コンテキストリクエスト２２４がＭＭＥ１０６によってＳＧＳＮ１０４に送信され、コンテキストリクエスト２２４に応答して、コンテキストレスポンス２２６がＳＧＳＮ１０４によってＭＭＥ１０６に送信される。そして、ＵＥは、ＧＥＲＡＮに戻る（ブロック１１９参照）。ＵＥ１０２が登録されたＲＡに戻ると、ＵＥ１０２は、ルーティングエリアアップデート手順３２８，３３０を実行する。
【００２０】
この第２のシナリオについて、ＵＥが一旦ＧＥＲＡＮに戻るとＵＥはルーティングエリアアップデート手順３２８，３２９をデフォルトで（by default）実行するので、ＵＥがＥ−ＵＴＲＡＮにある間にレディタイマを動作したままにしておくことは、有益な役割を果たしていないことが、図３から理解されよう。さらに、レディタイマを動作したままにすることは、ＵＥ及びネットワークの両方について、ＵＥがＥ−ＵＴＲＡＮにある間のリソースの浪費となる。
【００２１】
本技術分野の現在の状態の上述した問題及び限界を解決することが、明らかに望ましい。
【００２２】
本発明の目的は、あるタイプのネットワークから別のタイプのネットワークへの、特に、Ｅ＿ＵＴＲＡＮからＵＴＲＡＮ／ＧＥＲＡＮへのシステム間変更における無線端末の改良された動作（operation）を提供することである。
【課題を解決するための手段】
【００２３】
本発明の一態様によれば、第１のタイプの第１のネットワークと通信を行い、前記第１のタイプとは異なる第２のタイプの第２のネットワークと通信を行う無線端末であって、パケットドメイン（packet domain）において前記第１のネットワークとの接続（attachment）を行い、前記接続を行うことによって、前記無線端末が接続された状態（attached state）にあることを示すレディタイマを開始する手段と、前記第１のネットワークから前記第２のネットワークへのシステム間変更を開始する手段であって、それによって、前記無線端末が前記第１のネットワークから離れることとなり前記パケットドメインにおいて前記第２のネットワークに接続されることとなる手段と、前記開始されたシステム間変更に応じて前記レディタイマを無効にする手段とを有する無線端末が提供される。
【００２４】
本発明の他の態様によれば、第１のタイプの第１のネットワークと通信を行い、前記第１のタイプとは異なる第２のタイプの第２のネットワークと通信を行う無線端末で用いる方法であって、パケットドメイン（packet domain）において前記第１のネットワークとの接続（attachment）を行い、前記接続を行うことによって、前記無線端末が接続された状態（attached state）にあることを示すレディタイマを開始し、前記第１のネットワークから前記第２のネットワークへのシステム間変更を開始して、それによって、前記無線端末が前記第１のネットワークから離れることとなり前記パケットドメインにおいて前記第２のネットワークに接続されることとなり、前記開始されたシステム間変更に応じて前記レディタイマを無効にする方法が提供される。
【００２５】
本発明の他の態様によれば、第１のタイプの第１のネットワークと通信を行い、前記第１のタイプとは異なる第２のタイプの第２のネットワークと通信を行う無線端末で用いるコンピュータプログラム製品であって、前記コンピュータプログラム製品は、プロセッサと前記プロセッサに接続されたメモリとを有し、前記メモリは、前記プロセッサによって実行されるときに、パケットドメイン（packet domain）において前記第１のネットワークとの接続（attachment）を行い、前記接続を行うことによって、前記無線端末が接続された状態（attached state）にあることを示すレディタイマを開始する機能と、前記第１のネットワークから前記第２のネットワークへのシステム間変更を開始する機能であって、それによって、前記無線端末が前記第１のネットワークから離れることとなり前記パケットドメインにおいて前記第２のネットワークに接続されることとなる機能と、前記開始されたシステム間変更に応じて前記レディタイマを無効にする機能とを実行する命令を有するコンピュータプログラム製品が提供される。
【００２６】
本発明の他の態様によれば、第１のタイプの第１のネットワークの一部として動作し、前記第１のタイプとは異なる第２のタイプの第２のネットワークと通信を行うことが可能な無線端末と通信を行うネットワーク装置であって、パケットドメイン（packet domain）において前記無線端末との接続（attachment）を行い、前記接続を行うことによって、前記無線端末が接続された状態（attached state）にあることを示す、前記ネットワーク装置におけるレディタイマを開始する手段と、前記第１のネットワークから前記第２のネットワークへのシステム間変更の間に分離（detachment）を行う手段であって、それによって、前記無線端末が前記パケットドメインにおいて前記第１のネットワークから分離されることとなる手段と、前記分離を行うことに応じて前記レディタイマを無効にする手段とを有するネットワーク装置が提供される。
【００２７】
本発明の他の態様によれば、第１のタイプの第１のネットワークの一部として動作し、前記第１のタイプとは異なる第２のタイプの第２のネットワークと通信を行うことが可能な無線端末と通信を行うネットワーク装置で用いる方法であって、パケットドメイン（packet domain）において前記無線端末との接続（attachment）を行い、前記接続を行うことによって、前記無線端末が接続された状態（attached state）にあることを示す、前記ネットワーク装置におけるレディタイマを開始し、前記第１のネットワークから前記第２のネットワークへのシステム間変更の間に分離（detachment）を行い、それによって、前記無線端末が前記パケットドメインにおいて前記第１のネットワークから分離されることとなり、前記分離を行うことに応じて前記レディタイマを無効にする方法が提供される。
【００２８】
本発明の他の態様によれば、第１のタイプの第１のネットワークの一部として動作し、前記第１のタイプとは異なる第２のタイプの第２のネットワークと通信を行うことが可能な無線端末と通信を行うネットワーク装置で用いるコンピュータプログラム製品であって、前記コンピュータプログラム製品は、プロセッサと前記プロセッサに接続されたメモリとを有し、前記メモリは、前記プロセッサによって実行されるときに、パケットドメイン（packet domain）において前記無線端末との接続（attachment）を行い、前記接続を行うことによって、前記無線端末が接続された状態（attached state）にあることを示す、前記ネットワーク装置におけるレディタイマを開始する機能と、前記第１のネットワークから前記第２のネットワークへのシステム間変更の間に分離（detachment）を行う機能であって、それによって、前記無線端末が前記パケットドメインにおいて前記第１のネットワークから分離されることとなる機能と、前記分離を行うことに応じて前記レディタイマを無効にする機能とを実行する命令を有するコンピュータプログラム製品が提供される。
【発明の効果】
【００２９】
Ｅ−ＵＴＲＡＮネットワーク及びＵＴＲＡＮ／ＧＥＲＡＮネットワークで用いるために実施されると、本発明の特徴は、ＵＥがＥ−ＵＴＲＡＮにある間のレディタイマの不必要な扱いが回避されるという効果をもたらす。ＩＳＲがアクティブである場合にＵＥがＧＥＲＡＮを再選択するときに、セルアップデートのシグナリングも回避される。
【図面の簡単な説明】
【００３０】
【図１】ＵＥがＧＥＲＡＮを再選択する場合にレディタイマが動作しておりＩＳＲがアクティブである間にＥ−ＵＴＲＡＮからＧＥＲＡＮへのシステム間変更を行う既知の手順を示す図である。
【図２】ＵＥがＧＥＲＡＮを再選択する場合にレディタイマが動作しておりＩＳＲがアクティブである間にＥ−ＵＴＲＡＮからＧＥＲＡＮへのシステム間変更を行う既知の手順を示す図である。
【図３】ＵＥがＧＥＲＡＮを再選択する場合にレディタイマが動作しておりＩＳＲがアクティブでない間にＥ−ＵＴＲＡＮからＧＥＲＡＮへのシステム間変更を行う既知の手順を示す図である。
【図４】ＵＥがＧＥＲＡＮを再選択する場合にレディタイマが動作しておりＩＳＲがアクティブである間にＥ−ＵＴＲＡＮからＧＥＲＡＮへのシステム間変更を行う、提案された新たな方法を示すイベントダイアグラムである。
【図５】ＵＥがＧＥＲＡＮを再選択する場合にレディタイマが動作しておりＩＳＲがアクティブである間にＥ−ＵＴＲＡＮからＧＥＲＡＮへのシステム間変更を行う、提案された新たな方法を示すイベントダイアグラムである。
【図６】ＵＥがＧＥＲＡＮを再選択する場合にレディタイマが動作しておりＩＳＲがアクティブでない間にＥ−ＵＴＲＡＮからＧＥＲＡＮへのシステム間変更を行う、提案された新たな方法を示すイベントダイアグラムである。
【図７】本発明により動作するように構成された無線端末及びネットワーク装置を示す図である。
【発明を実施するための形態】
【００３１】
以下に説明する実施の形態は、以下のことを提供する。
第１に、ＵＥは、Ｅ−ＵＴＲＡＮに移動する（つまりＥ−ＵＴＲＡＮに接続される）と、レディタイマを無視する。このことは、以下の３つの代替的な実施によってなされ得る。
・システム間変更の開始後に、ＵＥはレディタイマを無視する、又は、
・Ｅ−ＵＴＲＡＮに移動するときに、ＵＥはレディタイマを停止する、又は、
・Ｅ−ＵＴＲＡＮからＧＥＲＡＮに移動するときに、ＵＥはレディタイマを停止する。
【００３２】
システム間変更の後でＵＥがレディタイマを無視する場合において、ＵＥは、レディタイマの満了／終了／停止を無視してもよい。さらに、ＵＥは、期限より前に、及び期限になるまで、レディタイマを無視してもよい。
【００３３】
必要に応じて、ネットワーク（ＳＧＳＮ）は自身のレディタイマを無視し得る。ＵＥがレディタイマを停止する場合において、通常の動作が適用されよう。つまり、ＵＥは、周期的なルーティングエリアアップデートタイマＴ３３１２を再度スタートするだろう。
【００３４】
第２に、ＵＥがＥ−ＵＴＲＡＮ（ＬＴＥ）に移動したことをＳＧＳＮが知っている場合、つまり、ＳＧＳＮがＭＭＥからコンテキストリクエストを受信する場合（このことは、ＵＥがＧＥＲＡＮにいた間にＩＳＲがアクティブでなかった場合に起こる）、ＳＧＳＮは、ＵＥに関連するレディタイマを停止する。
【００３５】
ＳＧＳＮがレディタイマを停止する場合、通常の動作が適用されよう。つまり、ＳＧＳＮは、モバイル到達可能タイマ（mobile reachable timer）（ＴＳ  ２３．０６０参照）を再度スタートするだろう。そして、ＴＳ  ２３．０６０の８．１．３ａ項のように、ＵＥに関連するＰＤＰコンテキストが保存されるべきである場合、ＳＧＳＮは、リリースアクセスベアラリクエスト（Release Access Bearers Request）をサービングゲートウェイ（Ｓ  ＧＷ）に送信して、ユーザプレーン及びダウンリンクＳ４  ＧＴＰ−Ｕ  ＴＥＩＤについてのＳＧＳＮアドレスを除去するものとする。
【００３６】
図４は、ＵＥがＧＥＲＡＮにあった間にＩＳＲが既にアクティブであった場合に、ＵＥがＧＥＲＡＮを再選択するときにレディタイマが動作しておりＩＳＲがアクティブである間に、Ｅ−ＵＴＲＡＮからＧＥＲＡＮへのシステム間変更を行う、提案された新たな方法を示すイベントダイアグラムである。ＵＥがＥ−ＵＴＲＡＮを選択すること（ボックス１１０）に応じて、レディタイマは停止される（ボックス４４０）。
【００３７】
図５は、Ｅ−ＵＴＲＡＮからＧＥＲＡＮへのシステム間変更を行う、提案された新たな方法を示す他のイベントダイアグラムである。この方法は、ＵＥが既にＧＥＲＡＮにあった間にＩＳＲが既にアクティブでなかった場合に、トラッキングエリアアップデート許可メッセージ（tracking area updating accept message）１１６を用いて、ＵＥがＧＥＲＡＮを再選択するときに、レディタイマが動作しておりＩＳＲがアクティブである間に実行される。図４に示すように、ＵＥがＥ−ＵＴＲＡＮを選択すること（ボックス１１０）に応じて、レディタイマは停止される（ボックス４４０）。トラッキングエリアアップデートを送信すること（１１２）に応じて、タイマは停止されてもよい。代替として又は追加として、ボックス５５０によって示されるように、ＭＭＥ１０６によって送信されたコンテキストリクエスト２２４を受信することに応じて、ＳＧＳＮ１０４は自身のレディタイマを停止してもよい。無線端末又はＳＧＳＮにおいてレディタイマの満了がないので、セルアップデートはなされない（４４２）。
【００３８】
図６は、Ｅ−ＵＴＲＡＮからＧＥＲＡＮへのシステム間変更を行う、提案された新たな方法を示す他のイベントダイアグラムである。この方法は、レディタイマが動作しておりＩＳＲがアクティブでない間に実行される（１１７）。ＩＳＲがアクティブでないので、ＵＥがＧＥＲＡＮを再選択するとき（ボックス１１９）、ＵＥは、ＲＡＵリクエストメッセージ（RAU REQUEST message）３２８を送信することによってＲＡＵ手順を行い、ＳＧＳＮは、ＲＡＵ許可メッセージ（RAU ACCEPT message）３３０を送信することによって応答する。
【００３９】
図７は、無線端末７１０を示す。無線端末７１０は、受信機７１２と、送信機７１４と、受信機７１２及び送信機７１４に接続されたプロセッサ７１６と、プロセッサ７１６に接続されたメモリ７１８とを有する。プロセッサ７１６は、メモリ７１８に収容された命令に従って受信機７１２及び送信機７１４を制御するように構成されている。
【００４０】
無線端末７１０の受信機７１２は、無線端末とネットワーク装置との間の無線リンク７４２を介して、ネットワーク装置７２０によって送信されたシグナリングデータ及びトラフィック／メディアデータの少なくとも１つを受信するように構成（arrange）されている。無線端末７１０の送信機７１４は、無線端末とネットワーク装置との間の無線通信リンク７４４を介して、シグナリングデータ及びトラフィック／メディアデータの少なくとも１つを送信するように構成されており、好ましくは、１つ以上の他の無線リンク（図示せず）を介して１つ以上の他のネットワーク装置（図示せず）向けの情報の送信を行うように構成されている。
【００４１】
無線端末７１０の受信機７１２によって使用される通信リンク７４２及び無線端末７１０の送信機７１４によって使用される通信リンク７４４は、同じ通信リンクとみなされ得る。代替として、無線端末７１０の受信機７１２によって使用される無線通信リンク７４２は、１つのリンクとみなされ得る、そして、無線端末７１０の送信機７１４によって使用される無線通信リンク７４４は、別の通信リンクとみなされ得る。例えば、受信機７１２によって使用されるリンク７４２はダウンリンクとみなされ得る、そして、送信機７１４によって使用されるリンク７４４はアップリンクとみなされ得る。このような信号の送受信についての通信リンクの使用は、本技術分野ではよく知られており、これ以上述べる必要はない。
【００４２】
ネットワーク装置７２０は、受信機７２２と、送信機７２４と、プロセッサ７２６と、メモリ７２８とを有する。ネットワーク装置７２０の受信機７２２、送信機７２４、プロセッサ７２６及びメモリ７２８の機能は、無線端末７１０の受信機７１２、送信機７１４、プロセッサ７１６及びメモリ７１８の機能とそれぞれ同様である。使用に際し、ネットワーク装置７２０は、送信機７２４及び無線リンク７４２を介して、無線端末７１０の受信機７１２に向けられた信号を無線で送信する。同様に、無線端末７１０の送信機は、送信機７１４及び無線リンク７４４を介して、ネットワーク装置７２０に向けられた１つ以上の信号を無線で送信する。
【００４３】
好ましくは、無線端末７１０の受信機７１２は、１つ以上のさらなるネットワーク装置（図示せず）によって送信された信号を受信し得る。同様に、好ましくは、無線端末７１０の送信機７１４は、１つ以上のさらなるネットワーク装置（図示せず）に向けられた信号を送信し得る。
【００４４】
好ましくは、ネットワーク装置７２０の受信機２２２は、１つ以上のさらなる無線端末（図示せず）によって送信された信号を受信し得る。同様に、好ましくは、ネットワーク装置７２０の送信機７２４は、１つ以上のさらなる無線端末（図示せず）に向けられた信号を送信し得る。
【００４５】
本実施例において、ネットワーク装置７２０は、セルラー通信ネットワークの基地局の一部を形成し、無線端末７１０はセルラー無線端末である。しかしながら、図３の無線端末７１０及びネットワーク装置７２０として示された、２つのデバイスのみが存在してもよいことが当然理解されよう。このような２つのデバイス又は少数のデバイスのみを有する無線通信システムが、クレームされた特徴からの利益を享受し得る。
【００４６】
ネットワーク装置７２０に接続された基地局制御装置（base station controller；ＢＳＣ）７３０は、ネットワーク装置７２０への信号及びネットワーク装置７２０からの信号、及び、他のこのようなネットワーク装置（図示せず）への信号及び他のこのようなネットワーク装置からの信号をルーティングする（route）ように構成されている。モバイルスイッチングセンタ（mobile switching centre；ＭＳＣ）７４０は、基地局制御装置７３０への信号及び基地局制御装置７３０からの信号、及び、他のこのような基地局制御装置（図示せず）への信号及び他のこのような基地局制御装置からの信号をルーティングするように構成されている。ＭＭＥ又はＳＧＳＮ７５０（ネットワークがＥ−ＵＴＲＡＮであるか又はＵＴＲＡＮ／ＧＥＲＡＮであるかによる）は、モバイルスイッチングセンタ７４０への信号及びモバイルスイッチングセンタ７４０からの信号、及び、公衆交換電話網（public switched telephone network；ＰＳＴＮ）（図示せず）への信号及び公衆交換電話網からの信号を制御してルーティングするように構成されている。基地局制御装置７３０、モバイルスイッチングセンタ７４０及びＭＭＥ又はＳＧＳＮ７５０の動作の原理はよく知られており、これ以上述べる必要はない。
【００４７】
上述した実施の形態は、Ｅ−ＵＴＲＡＮ（第２のネットワークとして）及びＵＴＲＡＮ／ＧＥＲＡＮ（第１のネットワークとして。ここで、ＧＥＲＡＮのＰＤＰコンテキスト起動リクエスト（Activate PDP context request）メッセージは、Ｅ−ＵＴＲＡＮのＰＤＰ接続リクエスト（PDN connectivity request）メッセージに相当する）に適用可能である。疑いなく、本実施の形態は、必要に応じて小さく単純な修正で、他のＲＡＮテクノロジに適用され得る。
【００４８】
図４から理解され得るように、ＩＳＲがアクティブである場合、ＵＥは、不必要なセルアップデートを行うことはない。そうでなければ、ＩＳＲからの利益が失われるだろう。
【００４９】
図６から理解され得るように、ＩＳＲがアクティブでない場合、ＵＥは、不必要にレディタイマを維持しない。確かに、ＩＳＲがアクティブでない場合、ＵＥは、ＵＴＲＡＮからＧＥＲＡＮへのシステム間変更でＲＡＵを行う。
【００５０】
ネットワーク側において、ＵＥがＥ−ＵＴＲＡＮに移動した場合、ネットワークは、ＵＥについてのレディタイマを維持する必要はない。ネットワークはＵＥがＥ−ＵＴＲＡＮに移動したことを知っているが、それは、３ＧＰＰ  ＴＳ  ２４．３０１  ｒｅｌｅａｓｅ  １１．２．１の５．５．３．２．２項から引き継がれた（reproduced）以下の要求により、ＵＥにおいてレディタイマが動作している場合、ＧＥＲＡＮからＥ−ＵＴＲＡＮに移動するときにＵＥは常にＴＡＵを行うからである。
「  ＥＭＭ−ＲＥＧＩＳＴＥＲＥＤ状態のＵＥは、ＴＲＡＣＫＩＮＧ  ＡＲＥＡ  ＵＰＤＡＴＥ  ＲＥＱＵＥＳＴメッセージをＭＭＥに送信することによって、トラッキングエリアアップデート手順を開始することとなる。これは、
・・・
ｌ）ＧＰＲＳ  ＲＥＡＤＹ状態又はＰＭＭ−ＣＯＮＮＥＣＴＥＤモードにいた間にＵＥがＥ−ＵＴＲＡＮセルを再選択する場合である」
【００５１】
上記のことは、３ＧＰＰ  ＴＳ  ２３．４０１のｖｅｒｓｉｏｎ  １１．１．０の５．３．３．０項にも記載されている。この一部は、以下のように再現される。
「ＧＰＲＳに接続された又はＵＴＲＡＮに接続されたＵＥが以下の条件のいずれかを行う場合に、スタンドアロントラッキングエリアアップデート（５．３．３．１項及び５．３．３．２項に記載された、それぞれ、Ｓ  ＧＷの変更を伴うもの又はＳ  ＧＷの変更を伴わないもの）が発生する。
・ＵＥがネットワークに登録したＴＡＩのリストにない新たなＴＡが入力されたことを検出する（ＲＲＣ−ＩＤＬＥモードの新たな同等でないＰＬＭＮのＴＡに入るときにＩＭＳＩを用いてアタッチ（Attach）を行うように構成されたＵＥの場合を除いて）。
・周期的なＴＡアップデートタイマが満了する。
・Ｅ−ＵＴＲＡＮを選択するとき、ＵＥはＵＴＲＡＮのＰＭＭに接続された状態（ＵＴＲＡＮ ＰＭＭ＿connected state）（例えばＵＲＡ＿ＰＣＨ）であった。
・Ｅ−ＵＴＲＡＮを選択するとき、ＧＰＲＳ  ＲＥＡＤＹ状態であった。」
【００５２】
したがって、図６に描画されるように、ＳＧＳＮがＭＭＥからコンテキストリクエストメッセージを受信すると、ＳＧＳＮは、ＵＥについてのレディタイマを停止することとなる。
【００５３】
上述した実施の形態は、
・ＧＥＲＡＮからＥ−ＵＴＲＡＮへの（ＧＰＲＳからＬＴＥへの）システム間変更において、又は
・Ｅ−ＵＴＲＡＮからＧＥＲＡＮへの（ＬＴＥからＧＰＲＳへの）システム間変更において、
ＧＰＲＳ及びＬＴＥをサポートしているＵＥで、レディタイマは、停止されることによって無効となることを定めている。
【００５４】
他の変形によれば、ＬＴＥからＧＰＲＳへのシステム間変更の後、ＵＥはレディタイマを無視し、したがって、レディタイマを無効とするだろう。確かに、各実施の形態によれば、レディタイマは無効となる。
【００５５】
好ましくは、ＳＧＳＮにおいて、ＵＥがＴＡＵを行う旨の指示をＳＧＳＮが受信するとき、ＳＧＳＮによってレディタイマは停止され、又は無視される。つまり、（ＵＥからＭＭＥへのトラッキングエリアアップデートリクエストに続いて）ＳＧＳＮがトラッキングエリアアップデートリクエスト又はコンテキストリクエストを受信するときに、そのようになる。この場合においてもやはり、レディタイマは無効となる。
【００５６】
以下の３ＧＰＰ  ＴＳ  ２４．００８からの抜粋で理解されるように、現在のところ、本技術分野の状態によれば、ＵＥ側及びネットワーク側の両方でレディタイマを停止するための唯一の条件は、「Ｆｏｒｃｅｄ  ｔｏ  Ｓｔａｎｄｂｙ」の指示である。
【００５７】
３ＧＰＰ  ＴＳ  ２４．００８のｓｅｃｔｉｏｎ  １１．２．２のＴａｂｌｅ  １１．３ａ（ＧＰＲＳ  Ｍｏｂｉｌｉｔｙ  ｍａｎａｇｅｍｅｎｔ  ｔｉｍｅｒｓ−ＭＳ  ｓｉｄｅ）の４行目に、Ｔ３３１４  ＲＥＡＤＹタイマ（Ａ／Ｇｂモードのみ）に関して示されている。
【００５８】
ＧＭＭ−ＤＥＲＥＧを除く全ての状態で、デフォルトタイマ値は４４秒である。タイマのスタートの要因は、ＰＴＰ  ＰＤＵの送信である。通常の停止は「Ｆｏｒｃｅｄ  ｔｏ  Ｓｔａｎｄｂｙ」である。Ｔ３３１４タイマの満了の際、セルアップデートはなされない。
注記２：シグナリング手順において、ＭＳ及びネットワークのいずれも他の値を送信しない場合、又はネットワークがこの値を送信する場合に、このタイマのデフォルト値が使用される。
【００５９】
３ＧＰＰ  ＴＳ  ２４．００８のｓｅｃｔｉｏｎ  １１．２．２のＴａｂｌｅ  １１．４ａ（ＧＰＲＳ  Ｍｏｂｉｌｉｔｙ  ｍａｎａｇｅｍｅｎｔ  ｔｉｍｅｒｓ−ｎｅｔｗｏｒｋ  ｓｉｄｅ）の３行目に、以下のように記述されている。
ＧＭＭ−ＤＥＲＥＧを除く全ての状態で、Ｔ３３１４  ＲＥＡＤＹタイマ（Ａ／Ｇｂモードのみ）の値は、「デフォルトの４４秒」である。タイマＴ３３１４のスタートの要因は、「ＰＴＰ  ＰＤＵの受信」である。通常の停止は「Ｆｏｒｃｅｄ  ｔｏ  Ｓｔａｎｄｂｙ」である。Ｔ３３１４タイマの満了の際、「ＰＴＰ  ＰＤＵがＭＳに送信されなければならない場合に、ネットワークはＭＳを呼び出す（page；ページングする）こととなる。」
注記２：シグナリング手順において、無線端末（ＵＥ）及びネットワークのいずれも他の値を送信しない場合、又はネットワークがこの値を送信する場合に、このタイマのデフォルト値が使用される。ネットワークにおけるこのタイマの値は、無線端末（ＵＥ）におけるタイマの値よりも少し短くすること。このことは、ネットワークの実施の問題である。
【００６０】
したがって、ＧＥＲＡＮとＥ−ＵＴＲＡＮとの間のシステム変更においてレディタイマを無効にすることが、予見できない問題を解決する新規な特徴に相当する。
【００６１】
添付図面において、図１〜図３は既知の方法による無線端末の動作を示し、図４〜図６は本明細書に記載された発明の特徴にかかる無線端末及びネットワーク装置の新規な動作を示す。図７は、既知の方法及び本発明の特徴の両方に適用される。
【００６２】
本ソフトウェアは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ（compact disc recordable）、ＣＤ−Ｒ／Ｗ（compact disc rewritable）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給するために使用され得る。
【００６３】
様々な他の変形が当業者には明らかであり、これらをこれ以上詳細には説明しない。
以上、実施の形態を参照して本願発明を説明したが、本願発明は上記によって限定されるものではない。発明のスコープ内で当業者が理解し得る様々な変更をすることができる。
【００６４】
この出願は、２０１２年４月１８日に出願された英国出願第１２０６７９０．６号を基礎とする優先権を主張し、この出願の開示は参照によりその全体が本明細書に援用される。
【産業上の利用可能性】
【００６５】
本発明は、無線端末及びその動作方法に関し、特に、Ｅ−ＵＴＲＡＮ（ＬＴＥとしても知られている）とＧＥＲＡＮとの間のシステム間変更に関する。
【符号の説明】
【００６６】
１０２  ＵＥ
１０４  ＳＧＳＮ
１０６  ＭＭＥ
７１０  無線端末
７１２  受信機
７１４  送信機
７１６  プロセッサ
７１８  メモリ
７２０  ネットワーク装置
７２２  受信機
７２４  送信機
７２６  プロセッサ
７２８  メモリ
７３０  ＢＳＣ
７４０  ＭＳＣ
７４２  無線リンク
７４４  無線リンク
７５０  ＭＭＥ／ＳＧＳＮ
【図１】
2015517229.tif 000003
【図２】
2015517229.tif 000004
【図３】
2015517229.tif 000005
【図４】
2015517229.tif 000006
【図５】
2015517229.tif 000007
【図６】
2015517229.tif 000008
【図７】
2015517229.tif 000009
【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
第１のタイプの第１のネットワークと通信を行い、前記第１のタイプとは異なる第２のタイプの第２のネットワークと通信を行う無線端末であって、
パケットドメイン（packet domain）において前記第１のネットワークとの接続（attachment）を行い、前記接続を行うことによって、前記無線端末が接続された状態（attached state）にあり前記第１のネットワークに直近にデータを送信したことを示すレディタイマを開始する手段と、
前記第１のネットワークから前記第２のネットワークへのシステム間変更を開始する手段であって、それによって、前記無線端末が前記第１のネットワークから離れ前記パケットドメインにおいて前記第２のネットワークを選択する手段と、
前記開始されたシステム間変更に応じて前記レディタイマを無効にする手段と
を有する無線端末。
【請求項２】
前記無効にする手段は、前記レディタイマを停止する手段又は前記レディタイマを終了する手段を有する
請求項１に記載の無線端末。
【請求項３】
前記無効にする手段は、前記無線端末による前記レディタイマの満了を無視する手段を有する
請求項１に記載の無線端末。
【請求項４】
前記無効にする手段は、前記無線端末による前記第２のネットワークの選択、及び前記無線端末が前記第２のネットワークに登録することの少なくとも一方に応じて、前記レディタイマを無効するように構成されている
請求項１から３のいずれか１項に記載の無線端末。
【請求項５】
前記無効にする手段は、前記無線端末が前記第２のネットワークを選択した場合に、前記無線端末が前記第１のタイプのネットワークを再び選択することに応じて、前記レディタイマを無効するように構成されている
請求項１に記載の無線端末。
【請求項６】
前記無線端末が前記第１のタイプのネットワークを選択することは、前記無線端末が前記第１のネットワークへ登録されるようになることを有する
請求項５に記載の無線端末。
【請求項７】
前記第１のネットワークは、ユニバーサル地上無線アクセスネットワーク（Universal Terrestrial Radio Access Network；ＵＴＲＡＮ）又はＧＳＭ／ＥＤＧＥ無線アクセスネットワーク（ＧＥＲＡＮ）であり、前記第２のネットワークは、進化型ユニバーサル地上無線アクセスネットワーク（Evolved Universal Terrestrial Radio Access Network；Ｅ−ＵＴＲＡＮ）であり、前記レディタイマは、ＧＭＭレディタイマである
請求項１から６のいずれか１項に記載の無線端末。
【請求項８】
第１のタイプの第１のネットワークと通信を行い、前記第１のタイプとは異なる第２のタイプの第２のネットワークと通信を行う無線端末で用いる方法であって、
パケットドメインにおいて前記第１のネットワークとの接続を行い、前記接続を行うことによって、前記無線端末が接続された状態にあり前記第１のネットワークに直近にデータを送信したことを示すレディタイマを開始し、
前記第１のネットワークから前記第２のネットワークへのシステム間変更を開始して、それによって、前記無線端末が前記第１のネットワークから離れることとなり前記パケットドメインにおいて前記第２のネットワークを選択し、
前記開始されたシステム間変更に応じて前記レディタイマを無効にする
方法。
【請求項９】
前記無効にすることは、前記レディタイマを停止すること又は前記レディタイマを終了することを有する
請求項８に記載の方法。
【請求項１０】
前記無効にすることは、前記無線端末による前記レディタイマの満了を無視することを有する
請求項８に記載の方法。
【請求項１１】
前記無効にすることは、前記無線端末による前記第２のネットワークの選択、及び前記無線端末が前記第２のネットワークに登録すること又は前記第２のネットワークへ登録することの少なくとも一方に応じて行われる
請求項８から１０のいずれか１項に記載の方法。
【請求項１２】
前記無効にすることは、前記無線端末が前記第２のネットワークを選択した場合に、前記無線端末が前記第１のタイプのネットワークを再び選択することに応じて行われる
請求項８に記載の方法。
【請求項１３】
前記無線端末が前記第１のタイプのネットワークを選択することは、前記無線端末が前記第１のネットワークへ登録されるようになることを有する
請求項１２に記載の方法。
【請求項１４】
前記第１のネットワークは、ユニバーサル地上無線アクセスネットワーク（ＵＴＲＡＮ）又はＧＳＭ／ＥＤＧＥ無線アクセスネットワーク（ＧＥＲＡＮ）であり、前記第２のネットワークは、進化型ユニバーサル地上無線アクセスネットワーク（Ｅ−ＵＴＲＡＮ）であり、前記レディタイマは、ＧＭＭレディタイマである
請求項８から１３のいずれか１項に記載の方法。
【請求項１５】
第１のタイプの第１のネットワークと通信を行い、前記第１のタイプとは異なる第２のタイプの第２のネットワークと通信を行う無線端末に、
パケットドメインにおいて前記第１のネットワークとの接続を行い、前記接続を行うことによって、前記無線端末が接続された状態にあり前記第１のネットワークに直近にデータを送信したことを示すレディタイマを開始し、
前記第１のネットワークから前記第２のネットワークへのシステム間変更を開始して、それによって、前記無線端末が前記第１のネットワークから離れることとなり前記パケットドメインにおいて前記第２のネットワークを選択し、
前記開始されたシステム間変更に応じて前記レディタイマを無効にする
処理を実行させるプログラム。
【請求項１６】
前記無効にすることは、前記レディタイマを停止すること又は前記レディタイマを終了することを有する
請求項１５に記載のプログラム。
【請求項１７】
前記無効にすることは、前記無線端末による前記レディタイマの満了を無視することを有する
請求項１５に記載のプログラム。
【請求項１８】
前記無効にすることは、前記無線端末による前記第２のネットワークの選択、及び前記無線端末が前記第２のネットワークに登録することの少なくとも一方に応じて行われる
請求項１５から１７のいずれか１項に記載のプログラム。
【請求項１９】
前記無効にすることは、前記無線端末が前記第２のネットワークを選択した場合に、前記無線端末が前記第１のタイプのネットワークを選択することに応じて行われる
請求項１５から１７のいずれか１項に記載のプログラム。
【請求項２０】
前記無線端末が前記第１のタイプのネットワークを選択することは、前記無線端末が前記第１のネットワークを選択することを有する
請求項１９に記載のプログラム。
【請求項２１】
前記第１のネットワークは、ユニバーサル地上無線アクセスネットワーク（ＵＴＲＡＮ）又はＧＳＭ／ＥＤＧＥ無線アクセスネットワーク（ＧＥＲＡＮ）であり、前記第２のネットワークは、進化型ユニバーサル地上無線アクセスネットワーク（Ｅ−ＵＴＲＡＮ）であり、前記レディタイマは、ＧＭＭレディタイマである
請求項１５から２０のいずれか１項に記載のプログラム。
【請求項２２】
第１のタイプの第１のネットワークの一部として動作し、前記第１のタイプとは異なる第２のタイプの第２のネットワークと通信を行うことが可能な無線端末と通信を行うネットワーク装置であって、
パケットドメインにおいて前記無線端末との接続を行い、前記接続を行うことによって、前記無線端末が接続された状態にあり前記第１のネットワークに直近にデータを送信したことを示す、前記ネットワーク装置におけるレディタイマを開始する手段と、
前記第１のネットワークから前記第２のネットワークへのシステム間変更の間に登録の更新（registration update）を行う手段であって、それによって、前記無線端末が前記パケットドメインにおいて前記第２のネットワークに登録されることとなる手段と、
前記登録の更新に応じて前記レディタイマを無効にする手段と
を有するネットワーク装置。
【請求項２３】
前記無効にする手段は、前記レディタイマを停止する手段又は前記レディタイマを終了する手段を有する
請求項２２に記載のネットワーク装置。
【請求項２４】
前記無効にする手段は、前記無線端末の前記レディタイマ又は前記ネットワーク装置の前記レディタイマの満了を無視する手段を有する
請求項２２に記載のネットワーク装置。
【請求項２５】
前記無効にする手段は、前記無線端末による前記第２のネットワークの選択、及び前記システム間変更の間に前記無線端末が前記第２のネットワークへ登録されることとなることの少なくとも一方に応じて、前記レディタイマを無効するように構成されている
請求項２２から２４のいずれか１項に記載のネットワーク装置。
【請求項２６】
前記無効にする手段は、前記システム間変更の間に前記無線端末が前記ネットワーク装置を有する前記第１のタイプのネットワークを離れた場合に前記無線端末が前記ネットワーク装置に再び接続されることとなることに応じて、前記レディタイマを無効するように構成されている
請求項２２から２４のいずれか１項に記載のネットワーク装置。
【請求項２７】
前記第１のネットワークは、ユニバーサル地上無線アクセスネットワーク（ＵＴＲＡＮ）又はＧＳＭ／ＥＤＧＥ無線アクセスネットワーク（ＧＥＲＡＮ）であり、前記第２のネットワークは、進化型ユニバーサル地上無線アクセスネットワーク（Ｅ−ＵＴＲＡＮ）である
請求項２２から２６のいずれか１項に記載のネットワーク装置。
【請求項２８】
第１のタイプの第１のネットワークの一部として動作し、前記第１のタイプとは異なる第２のタイプの第２のネットワークと通信を行うことが可能な無線端末と通信を行うネットワーク装置で用いる方法であって、
パケットドメインにおいて前記無線端末との接続を行い、前記接続を行うことによって、前記無線端末が接続された状態にあり前記第１のネットワークに直近にデータを送信したことを示す、前記ネットワーク装置におけるレディタイマを開始し、
前記第１のネットワークから前記第２のネットワークへのシステム間変更の間に登録の更新を行い、それによって、前記無線端末が前記パケットドメインにおいて前記第２のネットワークに登録されることとなり、
前記登録の更新に応じて前記レディタイマを無効にする
方法。
【請求項２９】
前記無効にすることは、前記レディタイマを停止すること又は前記レディタイマを終了することを有する
請求項２８に記載の方法。
【請求項３０】
前記無効にすることは、前記無線端末又は前記ネットワーク装置による前記レディタイマの満了又は終了を無視することを有する
請求項２８に記載の方法。
【請求項３１】
前記無効にすることは、前記無線端末による前記第２のネットワークの選択、及び前記システム間変更の間に前記無線端末が前記第２のネットワークへ登録されることとなることの少なくとも一方に応じて、前記レディタイマを無効するように構成されている
請求項２８から３０のいずれか１項に記載の方法。
【請求項３２】
前記無効にすることは、前記システム間変更の間に前記無線端末が前記ネットワーク装置を有する前記第１のタイプのネットワークを離れた場合に前記無線端末が前記ネットワーク装置に再び接続されることとなることに応じてなされる
請求項２８から３０のいずれか１項に記載の方法。
【請求項３３】
前記第１のネットワークは、ユニバーサル地上無線アクセスネットワーク（ＵＴＲＡＮ）又はＧＳＭ／ＥＤＧＥ無線アクセスネットワーク（ＧＥＲＡＮ）であり、前記第２のネットワークは、進化型ユニバーサル地上無線アクセスネットワーク（Ｅ−ＵＴＲＡＮ）である
請求項２８から３２のいずれか１項に記載の方法。
【請求項３４】
第１のタイプの第１のネットワークの一部として動作し、前記第１のタイプとは異なる第２のタイプの第２のネットワークと通信を行うことが可能な無線端末と通信を行うネットワーク装置に、
パケットドメインにおいて前記無線端末との接続を行い、前記接続を行うことによって、前記無線端末が接続された状態にあり前記第１のネットワークに直近にデータを送信したことを示す、前記ネットワーク装置におけるレディタイマを開始し、
前記第１のネットワークから前記第２のネットワークへのシステム間変更の間に登録の更新を行い、それによって、前記無線端末が前記パケットドメインにおいて前記第２のネットワークに登録されることとなり、
前記登録の更新に応じて前記レディタイマを無効にする
処理を実行させるプログラム。
【請求項３５】
前記無効にすることは、前記レディタイマを停止すること又は前記レディタイマを終了することを有する
請求項３４に記載のプログラム。
【請求項３６】
前記無効にすることは、前記無線端末又は前記ネットワーク装置による前記レディタイマの満了又は終了を無視することを有する
請求項３４に記載のプログラム。
【請求項３７】
前記無効にすることは、前記無線端末による前記第２のネットワークの選択、及び前記システム間変更の間に前記無線端末が前記第２のネットワークへ登録されることとなることの少なくとも一方に応じて、前記レディタイマを無効するように構成されている
請求項３４から３６のいずれか１項に記載のプログラム。
【請求項３８】
前記無効にすることは、前記システム間変更の間に前記無線端末が前記ネットワーク装置を有する前記第１のタイプのネットワークを離れた場合に前記無線端末が前記ネットワーク装置に再び接続されることとなることに応じてなされる
請求項３４から３７のいずれか１項に記載のプログラム。
【請求項３９】
前記第１のネットワークは、ユニバーサル地上無線アクセスネットワーク（ＵＴＲＡＮ）又はＧＳＭ／ＥＤＧＥ無線アクセスネットワーク（ＧＥＲＡＮ）であり、前記第２のネットワークは、進化型ユニバーサル地上無線アクセスネットワーク（Ｅ−ＵＴＲＡＮ）である
請求項３４から３８のいずれか１項に記載のプログラム。
【国際調査報告】
2015517229.tif 000010